(57)【要約】【課題】光学部材を光軸周りへ回転させることができ、しかも光学部材ホルダの着脱作業を簡単に行えるようにする。【解決手段】レンズ鏡筒６１に設けられた１つの環状溝６１ｂに回転可能に係合するバネ性樹脂のつめ４３を、１／４波長板３を保持し、バネ性を有する樹脂製保持部４１と一体に設けた。【選択図】図２
2009180800.tif 000002
【特許請求の範囲】
【請求項１】
光学部材を有し、レンズ鏡筒先端部に対して着脱可能な光学部材ホルダにおいて、
前記光学部材を保持する保持部と、
前記保持部材に連結され、前記レンズ鏡筒先端部の外周面又は内周面の周方向に設けられた溝に前記レンズ鏡筒の光軸周りへ回転可能に係合する支持部とを備え、
前記保持部は、バネ性を有する樹脂により構成されており、
前記支持部は、前記保持部材にその周方向へ沿うように形成された複数の切り欠きまたは孔に対して係合可能な複数の突出部を有するほぼ環状のバネ性を有する樹脂により構成されている
ことを特徴とする光学部材ホルダ。
【請求項２】
前記バネ性を有する樹脂は、ポリアセタール、ポリオレフィン樹脂またはフッ素系樹脂であることを特徴とする請求項１記載の光学部材ホルダ。
【請求項３】
前記支持部は複数のつめであり、前記保持部と一体に形成されていることを特徴とする請求項１または２記載の光学部材ホルダ。
【請求項４】
前記支持部の一部に前記環状の半径方向の大きさを変える調整部を備えることを特徴とする請求項１〜３のいずれか１項記載の光学部材ホルダ。
【請求項５】
請求項１〜４のいずれか１項記載の光学部材ホルダを備えていることを特徴とする対物レンズ。
【請求項６】
請求項５項記載の対物レンズを備えていることを特徴とする顕微鏡。
【発明の詳細な説明】
【技術分野】
【０００１】
この発明は光学部材ホルダ、対物レンズ、顕微鏡に関する。
【背景技術】
【０００２】
従来技術として、ズーム変倍光学系と、その光軸上に配置された対物レンズと、この対物レンズに着脱可能に装着された１／４波長板（光学部材）とを備える顕微鏡が知られている（下記特許文献１参照）。
【特許文献１】実公昭５６−１４４９１号公報  図６は上記従来技術術と別の従来技術に係る対物レンズ及び光学部材ホルダの破断面図である。
【０００３】
従来の光学部材ホルダ３０４は外枠３４１と内枠３４２とナット３４３とを備える。光学部材ホルダ３０４は光学部材、例えば１／４波長板３０３を保持している。光学部材ホルダ３０４は対物レンズ３０６に対して着脱可能である。外枠３４１は環状であり、その上端部の外周面には雄ねじ３４１ａが形成されている。雄ねじ３４１ａは対物レンズ３０６のレンズ鏡筒３６１の内周面に形成された雌ねじ３６１ａにねじ込まれる。内枠３４２は環状であり、その上端部の外周面には雄ねじ３４２ａが形成されている。内枠３４２の上端部を外枠３４１の内部に挿入した状態で、内枠３４２は外枠３４１の下部に固定されている。ナット３４３はリング状であり、その内周面には内枠３４２の雄ねじ３４２ａがねじ込まれる雌ねじ３４３ａが形成されている。ナット３４３を内枠３４２の雄ねじ３４２ａにねじ込むことにより、ナット３４３は内枠３４２に固定されるとともに、内枠３４２に保持された１／４波長板（光学部材）３０３はナット３４３によって内枠３４２に固定される。ナット３４３を緩めると、１／４波長板３０３は対物レンズ３０６の光軸周りに回転させることができる。
【０００４】
光学部材ホルダ３０４の雄ねじ３４１ａを対物レンズ３０６の雌ねじ３６１ａにねじ込むことによって光学部材ホルダ３０４は対物レンズ３０６に装着される。
【発明の開示】
【発明が解決しようとする課題】
【０００５】
上述の顕微鏡で例えば微分干渉法により試料を観察する場合、ズーム変倍光学系と対物レンズとの間にノマルスキプリズムを配置し、１／４波長板を顕微鏡から外す必要がある。
【０００６】
１／４波長板を顕微鏡から外すとき、光学部材ホルダを対物レンズの光軸周りへ回転させて、対物レンズの雌ねじにねじ込まれた光学部材ホルダの雄ねじを外す必要がある。
【０００７】
また、微分干渉法から通常の観察法に戻す場合、光学部材ホルダを対物レンズの光軸周りへ回転させて、対物レンズの雌ねじに光学部材ホルダの雄ねじをねじ込む必要がある。
【０００８】
以上のように、従来の光学部材ホルダの着脱作業は煩雑であった。
【０００９】
この発明はこのような事情に鑑みてなされたもので、その課題は光学部材を光軸周りへ回転させることができ、しかも光学部材ホルダの着脱作業を簡単に行えるようにすることである。
【課題を解決するための手段】
【００１０】
前述の課題を解決するため、この発明の光学部材ホルダは、光学部材を有し、レンズ鏡筒先端部に対して着脱可能な光学部材ホルダにおいて、前記光学部材を保持する保持部と、前記保持部材に連結され、前記レンズ鏡筒先端部の外周面又は内周面の周方向に設けられた溝に前記レンズ鏡筒の光軸周りへ回転可能に係合する支持部とを備え、前記保持部は、バネ性を有する樹脂により構成されており、前記支持部は、前記保持部材にその周方向へ沿うように形成された複数の切り欠きまたは孔に対して係合可能な複数の突出部を有するほぼ環状のバネ性を有する樹脂により構成されている
ことを特徴とする。
【発明の効果】
【００１１】
この発明によれば、光学部材を光軸周りへ回転させることができ、しかも光学部材ホルダの着脱作業を簡単に行える。
【発明を実施するための最良の形態】
【００１２】
以下、この発明の実施の形態を図面に基づいて説明する。
【００１３】
図１はこの発明の第１の実施形態に係る顕微鏡の構成を示す概念図、図２は図１に示す顕微鏡の対物レンズに光学部材ホルダが装着された状態を示す図、図３は図２に示す光学部材ホルダの平面図である。なお、図２には光学部材ホルダの断面が表されている。
【００１４】
図１〜３に示すように、この顕微鏡は１／４波長板３と光学部材ホルダ４と対物レンズ６とノマルスキプリズム収容部８とズーム変倍光学係１１と照明装置１３と接眼鏡筒１５とを備えている。
【００１５】
１／４波長板３は光学部材ホルダ４に保持されている。
【００１６】
光学部材ホルダ４は保持部（保持部材）４１と周壁部４２とつめ（支持部材）４３とを有する。光学部材ホルダ４は弾性を有する合成樹脂で形成されている。
【００１７】
保持部（保持部材）４１、周壁部４２及びつめ（支持部材）４３は一体で、バネ性を有する樹脂により構成されており、バネ性を有する合成樹脂は、ポリアセタール、ポリオレフィン樹脂またはフッ素系樹脂である。
【００１８】
保持部４１は円板状である。保持部４１には孔４１ａが形成されている。孔４１ａに１／４波長板３が保持されている。周壁部４２は円筒状である。周壁部４２には３つの切欠き４２ａが周方向へ等間隔に形成されている。つめ４３はそれぞれ切欠き４２ａに配置されている。つめ４３の一端は保持部４１に結合されている。つめ４３の他端には突起４３ａが形成されている。
【００１９】
対物レンズ６はレンズ鏡筒６１とレンズ６２とを有する。レンズ鏡筒６１の下端部に位置する挿入部６１ａは光学部材ホルダ４の周壁部４２内に挿入される。挿入部６１ａの外周面には１つの環状溝（溝）６１ｂが形成されている。環状溝６１ｂはレンズ鏡筒６１の周方向に沿って延びている。環状溝６１ｂには光学部材ホルダ４のつめ４３の突起４３ａが係合する。突起４３ａは環状溝６１ｂに沿ってその周方向へ移動可能である。したがって、光学部材ホルダ４は概ね対物レンズ６の光軸を中心軸にして回転する。環状溝６１ｂの深さの値は突起４３ａの高さの値（光学部材ホルダ４の径方向の寸法）よりも小さい。したがって、突起４３ａが環状溝６１ｂに係合したとき、突起４３ａの一部は環状溝６１ｂからはみ出す。このため、光学部材ホルダ４を対物レンズ６に装着したとき、つめ４３は僅かに反った状態になり、この結果、つめ４３はレンズ鏡筒６１の挿入部６１ａに圧接する。つめ４３が挿入部６１に圧接することにより、光学部材ホルダ４とレンズ鏡筒６１との間に適宜な摩擦力が生じ、光学部材ホルダ４は任意の回転位置で止まる。
【００２０】
レンズ６２はレンズ鏡筒６１内に収容されている。
【００２１】
ノマルスキプリズム収容部８は対物レンズ６とズーム変倍光学係１１との間に位置し、ノマルスキプリズム９を収容する。
【００２２】
ズーム変倍光学係１１は３つのレンズ素子１１１，１１２，１１３で構成されている。
【００２３】
照明装置１３は光源１３１と第１偏光板１３２とハーフミラー１３３と第２偏光板１３４とを有する。第１偏光板１３２は光源１３１の光を偏向する。ハーフミラー１３３は第１偏光板１３２で偏向された光を試料２０に向けて反射する。第２偏光板１３４はハーフミラー１３３を透過した光を偏向する。
【００２４】
接眼鏡筒１５には結像レンズ１５１と接眼レンズ１５２とミラー１５３とが収容されている。
【００２５】
照明装置１３の光源１３１から出射された照明光は偏光板１３２によって紙面に垂直な方向に振動する直線偏光に変換され、ハーフミラー１３３に入射する。ハーフミラー１３３は照明光をズーム変倍光学係１１へ反射する。ズーム倍率光学係１１を通過した直線偏光の照明光は１／４波長板３を通過し、その際に照明光は振動方向が４５度回転した円偏光となって試料２０に照明される。
【００２６】
試料２０で反射した反射光は再び１／４波長板３を通過することによって振動方向が更に４５度回転し、その振動方向が偏光板１３４の振動方向と平行な直線偏光としてズーム変倍光学係１１に入射し、その後、ハーフミラー１３３、偏光板１３４、結像レンズ１５１を通過する。この反射光は対物レンズ６、ズーム変倍光学係１１、結像レンズ１５１によって接眼鏡筒１５内で一次像２０´として結像される。この一次像２０´は接眼レンズ１５２により拡大して観察される。
【００２７】
以上の通常の観察法から微分干渉法に切り替えて観察する場合、１／４波長板３を顕微鏡から外し、ノマルスキプリズム９をノマルスキプリズム収容部８に収容する必要がある。１／４波長板３を外すには、光学部材ホルダ４を対物レンズ６から外せばよい。光学部材ホルダ４を対物レンズ６から外すには、光学部材ホルダ４を試料２０の側へ引っ張るだけでよい。光学部材ホルダ４を引っ張ると、光学部材ホルダ４のつめの突起４３ａがレンズ鏡筒６１の環状溝６１ｂから外れて、光学部材ホルダ４と対物レンズ６との係合が解かれ、光学部材ホルダ４が対物レンズ４から外れる。このようにして微分干渉法による観察が可能になる。
【００２８】
微分干渉法から通常の観察法に戻す場合、１／４波長板３を顕微鏡に装着し、ノマルスキプリズム９をノマルスキプリズム収容部８から取り外せばよい。１／４波長板３を顕微に装着するには、光学部材ホルダ４を対物レンズ６に装着すればよい。光学部材ホルダ４を対物レンズ６に装着するには、光学部材ホルダ４にレンズ鏡筒６１の挿入部６１ａを受け入れるように押し込むだけでよい。押し込むと、そうすれば、光学部材ホルダ４のつめの突起４３ａがレンズ鏡筒６１の環状溝６１ｂに係合し、光学部材ホルダ４と対物レンズ６とが係合する。対物レンズ６に装着された光学部材ホルダ４は対物レンズ６の光軸を回転中心にして回転させることができるので、１／４波長板３の振動方向を調整することができる。
【００２９】
以上のように、この実施形態によれば、１／４波長板３を対物レンズ６の光軸周りへ回転させることができ、しかも対物レンズ６に対する１／４波長板３の着脱作業を簡単に行うことができる。
【００３０】
図４はこの発明の第２の実施形態に係る光学部材ホルダ及び対物レンズの破断面図、図５は図４に示す光学部材ホルダの平面図である。
【００３１】
第２実施形態の光学部材ホルダ２０４はホルダ本体（保持部材）２４０と、ほぼ環状の弾性部材（支持部材）２４３とで構成されている。
【００３２】
ホルダ本体２４０は保持部２４１と周壁部２４２とを有する。ホルダ本体２４０は弾性を有する合成樹脂で形成されている。
【００３３】
ホルダ本体２４０の保持部２４１及び周壁部２４２と弾性部材（支持部材）２４３とはそれぞれ、バネ性を有する樹脂により構成されており、バネ性を有する合成樹脂は、ポリアセタール、ポリオレフィン樹脂またはフッ素系樹脂である。
【００３４】
保持部２４１は円板状であり、孔２４１ａが形成されている。孔２４１ａには１／４波長板３が保持されている。
【００３５】
周壁部２４２には３つの窓孔２４２ａが等間隔に形成されている。また、周壁部２４２には切欠２４２ｂが形成されている。切欠２４２ｂは隣り合う２つの窓孔２４２ａの中間に位置する。
【００３６】
弾性部材２４３は環状部２４３ａと調整部であるつまみ２４３ｂとを有する。弾性部材２４３の材料としては例えばピアノ線が挙げられる。環状部２４３ａは周壁部２４２の内側に配置される。環状部２４３ａは３つの突起２４３ｃを有する。突起２４３ｃは窓孔２４２ａを通じて周壁部２４２外へ突出し、この突出部分は対物レンズの２０６のレンズ鏡筒２６１の内周面に形成された１つの環状溝（溝）２６１ａに挿入される。
【００３７】
つまみ２４３ｂは環状部２４３ａの両端に結合されている。
【００３８】
光学部材ホルダ２０４を対物レンズ２０６に装着するには、まず、２つのつまみ２４３ｂをつまんで両者の間隔を狭める。この結果、図５の点線で示すように、環状部２４３ａの径が小さくなり、突起２４３ｃが内側へ引き込む。
【００３９】
この状態で、周壁部２４２をレンズ鏡筒２６１の下部に挿入する。このとき、突起２４３ｃが引っ込んでいるので、レンズ鏡筒２６１の内周面に殆ど接触せず、周壁部２４２をほぼ無挿入力で挿入できる。
【００４０】
周壁部２４２をレンズ鏡筒２６１の下部に挿入したら、つまみ２４３ｂを離す。すると、環状部２４３ａは元の状態（図５の実線で示す状態）に戻り、突起２４３ｃが窓孔２４２ａを通じてレンズ鏡筒２６１の環状溝２６１ａに挿入される。突起２４３ｃは環状溝２６１ａに沿って移動できるので、光学部材ホルダ４を回転させることができる。また、このとき、突起２４３ｃは環状部２４３ａのばね力によって環状溝２６１ａの内周面に圧接するので、適度な摩擦力が生じる。
【００４１】
第２実施形態によれば、第１実施形態と同様の効果を得ることができるとともに、より小さな力で光学部材ホルダ２０４を対物レンズ２６１に装着することができる。
【００４２】
なお、上述の実施形態では、光学部材ホルダ部４，２０４は１／４波長板３を保持しているが、この発明の光学部材ホルダは１／４波長板３用に限られず、この発明は例えば、１／２波長板、１／８波長板等にも適用することができる。
【００４３】
また、第１の実施形態では、つめ４３をレンズ鏡筒６の挿入部６１ａの外周面に係合させるようにしたが、これに限られず、つめ４３をレンズ鏡筒６１の内周面に係合させるようにしてもよい。
【００４４】
なお、第２の実施形態では、弾性部材２４３の突起２４３ｃをレンズ鏡筒２６１の内周面に形成された環状溝２６１ａに挿入するようにしたが、レンズ鏡筒２６１の下部を光学部材ホルダ２０４の周壁部２４２内に挿入するようにし、弾性部材２４３を周壁部２４２の外周面に配置して、弾性部材２４３の突起２４３ｃをレンズ鏡筒２６１の外周面に形成した環状溝に弾性部材２４３の突起を、レンズ鏡筒２６１の外周面に形成した環状溝に挿入するようにしてもよい。
【図面の簡単な説明】
【００４５】
【図１】図１はこの発明の第１の実施形態に係る顕微鏡の構成を示す概念図である。
【図２】図２は図１に示す顕微鏡の対物レンズに光学部材ホルダが装着された状態を示す図である。
【図３】図３は図２に示す光学部材ホルダの平面図である。
【図４】図４はこの発明の第２の実施形態に係る光学部材ホルダ及び対物レンズの破断面図である。
【図５】図５は図４に示す光学部材ホルダの平面図である。
【図６】図６は上記従来技術術と別の従来技術に係る対物レンズ及び光学部材ホルダの破断面図である。
【符号の説明】
【００４６】
３  １／４波長板
４，２０４  光学部材ホルダ
４１  保持部（保持部材）
２４０  ホルダ本体（保持部材）
４２  つめ（支持部材）
２４３  弾性部材（支持部材）
６，２０６  対物レンズ
６１，２６１  レンズ鏡筒
６１ｂ  環状溝（溝）
２６１ａ  環状溝（溝）
【図１】
2009180800.tif 000003
【図２】
2009180800.tif 000004
【図３】
2009180800.tif 000005
【図４】
2009180800.tif 000006
【図５】
2009180800.tif 000007
【図６】
2009180800.tif 000008